(57)【要約】【課題】発光領域の裏面側からの光源の映り込みを防止した両面発光型の照明装置を提供する。【解決手段】本発明の照明装置は、導光板１２２，１４２が相互に背合わせに配置され、導光板１４２の光源１４１が、導光板１２２と平面的に重なる位置に配置されており、前記導光板１２２，１４２の対向面側に、複数の反射膜と、該反射膜を挟持する複数の樹脂層とを有する両面反射シート１０２が配設され、前記光源１４１が、前記両面反射シート１０２を挟んで反対側の照明部の発光領域と平面的に重なって配置されており、前記両面反射シート１０２が、基板と、該基板上に成膜された反射膜とを有する複数の反射フィルムを、前記反射膜どうしが対向する向きに接着材を介して接着したものとされている。【選択図】        図１
2004362877.tif 000002
【特許請求の範囲】
【請求項１】
導光板と、該導光板に光を照射する光源と、をそれぞれ備える一対の照明部が、互いに平面的に重なる領域を有して配置されてなる照明装置であって、
前記一対の照明部が対向する面にそれぞれ反射膜が成膜され、
前記一対の反射膜は接着剤を介して互いに接着されてなることを特徴とする照明装置。
【請求項２】
導光板と、該導光板に光を照射する光源と、をそれぞれ備える一対の照明部が、互いに平面的に重なる領域を有して配置されてなる照明装置であって、
基板と、該基板上に成膜された反射膜と、をそれぞれ有する一対の反射フィルムを接着材を介して接着してなる両面反射シートが、前記一対の照明部が平面的に重なる領域と平面的に重なる領域を有するように、前記一対の照明部の間に配設されてなることを特徴とする照明装置。
【請求項３】
前記両面反射シートは、前記一対の反射フィルムの前記反射膜どうしが対向する向きに接着材を介して接着されてなることを特徴とする請求項２に記載の照明装置。
【請求項４】
前記一対の照明部の少なくとも一方の照明部の光源は、他方の前記照明部と平面的に重なって配置されてなり、
前記一方の反射フィルムの平面領域は、前記一方の照明部の前記光源が設けられてなる領域を含むことを特徴とする請求項２に記載の照明装置。
【請求項５】
前記両面反射シートが、平面的に異なる大きさを有する前記反射フィルムどうしを、前記接着材を介して接着したものであることを特徴とする請求項２に記載の照明装置。
【請求項６】
前記一対の照明部の第１の前記照明部は第２の前記照明部よりも平面的に面積が小さく、
前記第１の照明部に対応する第１の前記反射フィルムは当該照明部と略同一の大きさであり、前記第２の照明部に対応する第２の前記反射フィルムは当該照明部と略同一の大きさであり、
前記両面反射シートは、前記第１の反射フィルムと前記第２の反射フィルムを前記接着材を介して接着したものであることを特徴とする請求項２乃至４のいずれか１項に記載の照明装置。
【請求項７】
前記一対の照明部の前記第１の照明部の光源は、第２の前記照明部と平面的に重なって配置されてなり、
前記第１の反射フィルムの平面領域は、前記第２の照明部の前記光源が設けられてなる領域を含むことを特徴とする請求項６に記載の照明装置。
【請求項８】
前記両面反射シートの平面領域は、前記一対の照明部が平面的に重なる領域を含むように配置されてなることを特徴とする請求項２乃至７のいずれか１項に記載の照明装置。
【請求項９】
前記反射フィルムの反射膜が、銀又はアルミニウム、及びこれらの合金のいずれか１種以上からなることを特徴とする請求項２ないし８のいずれか１項に記載の照明装置。
【請求項１０】
請求項１ないし９のいずれか１項に記載の照明装置と、該照明装置のそれぞれの導光板前面側に配設された電気光学パネルとを備えたことを特徴とする電気光学装置。
【請求項１１】
請求項１０に記載の電気光学装置を用いることを特徴とする電子機器。
【請求項１２】
導光板と、該導光板に光を照射する光源と、をそれぞれ備える一対の照明部が、互いに平面的に重なる領域を有して配置される照明装置の製造方法であって、
基板上に反射膜を成膜して反射フィルムを製造する工程と、
一対の前記反射フィルムを接着材を介して接着して両面反射シートを製造する工程と、
前記一対の照明部が平面的に重なる領域と平面的に重なる領域を有するように、前記一対の照明部の間に前記反射シートを配設する工程と、を有することを特徴とする照明装置の製造方法。
【請求項１３】
請求項１２に記載の照明装置の製造方法を用いる電気光学装置の製造方法において、電気光学パネルを前記照明装置のそれぞれの導光板前面側に配設する工程を有することを特徴とする電気光学装置の製造方法。
【発明の詳細な説明】
【０００１】
【発明の属する技術分野】
本発明は、照明装置、電気光学装置、電子機器、照明装置の製造方法、及び電気光学装置の製造方法に関するものである。
【０００２】
【従来の技術】
近年、電子機器において、筐体の表裏両面で表示が可能な液晶表示装置を備えたものが知られている。この種の液晶表示装置では、２枚の液晶パネルの間にそれぞれのパネルを照明するバックライトが配設されていた（例えば特許文献１を参照）。
【０００３】
【特許文献１】
特開平８−３０５３０１号公報
【０００４】
【発明が解決しようとする課題】
ところが、本発明者らが、表裏で異なる大きさの液晶パネルを備えた液晶表示装置に上記構成を適用したところ、大きい方の液晶パネルに、その裏面側に配置された小さい方の液晶パネルの表示やバックライトに用いている光源が映り込んで表示品質が低下する現象が確認された。そして、この裏面側からの映り込みは、大きい方の液晶パネルの表示領域と平面的に重なる位置に裏面側（小さい方の液晶パネル）のバックライトの光源が配置された液晶表示装置において特に顕著であった。
本発明は、上記事情に鑑みて成されたものであって、発光領域の裏面側からの光源の映り込みを防止した両面発光型の照明装置、及びその製造方法を提供することを目的としている。
また本発明は、表示領域の裏面側からの干渉を防止した表示品質に優れる両面表示型の電気光学装置、及びその製造方法を提供することを目的としている。
【０００５】
【課題を解決するための手段】
本発明の照明装置は、上記課題を解決するために、導光板と、該導光板に光を照射する光源と、をそれぞれ備える一対の照明部が、互いに平面的に重なる領域を有して配置されてなる照明装置であって、前記一対の照明部が対向する面にそれぞれ反射膜が成膜され、前記一対の反射膜は接着剤を介して互いに接着されてなることを特徴とする。
また、本発明の照明装置は、導光板と、該導光板に光を照射する光源と、をそれぞれ備える一対の照明部が、互いに平面的に重なる領域を有して配置されてなる照明装置であって、
基板と、該基板上に成膜された反射膜と、をそれぞれ有する一対の反射フィルムを接着材を介して接着してなる両面反射シートが、前記一対の照明部が平面的に重なる領域と平面的に重なる領域を有するように、前記一対の照明部の間に配設されてなることを特徴とする。
【０００６】
上記構成の照明装置では、複数の導光板が相互に背合わせに配置されており、それらの導光板間に両面反射シートが配設されている。そして、前記両面反射シートが上記のように複数の反射フィルムを接着したものとされている。このような構成とされていることで、両面反射シートを挟んで反対側の照明部の発光領域と重なる位置に光源が配設されていても、その光が両面反射シートを透過して反対側の導光板に入射しないようにすることができる。従って、両面反射シート両側のいずれの導光板の面内においても優れた輝度の均一性が得られ、係る照明装置を電気光学パネル等の表示装置の光源として用いるならば、高品質の表示を得ることができる。
また、係る構成によれば、光源を任意の位置に配設できるため、両面発光型の照明装置としての設計の自由度が高く、係る照明装置を用いることで表示装置や電子機器の筐体デザインの自由度が増し、デザイン面においてもより魅力的な製品を提供することが可能になる。
尚、上記照明部の「発光領域」とは、導光板主面において照明光を出射する領域であるが、実質的には導光板前面に配置された被照明体に照射される光が発せされる平面領域である。また、上記照明部は、導光板と、この導光板に光を照射する光源とを有するものであるが、１つの導光板に対して複数の光源が配設されていても良い。
上記のような構成とすれば、反射膜での光の透過を効果的に防止できると共に、反射膜と基板との密着性にも優れる両面反射シートとすることができ、輝度均一性と信頼性とを兼ね備えた照明装置を提供することができる。
本発明に係る照明装置では、前記両面反射シートは、前記一対の反射フィルムの前記反射膜どうしが対向する向きに接着材を介して接着されてなることが好ましい。
本発明に係る照明装置では、前記一対の照明部の少なくとも一方の照明部の光源は、他方の前記照明部と平面的に重なって配置されてなり、前記一方の反射フィルムの平面領域は、前記一方の照明部の前記光源が設けられてなる領域を含むことが好ましい。
【０００７】
本発明に係る照明装置では、前記両面反射シートが、平面的に異なる大きさを有する前記反射フィルムどうしを、前記接着材を介して接着した構成とすることができる。係る構成によれば、必要な領域にのみ反射フィルムを積層するので、原材料コストの低減が可能である。
【０００８】
本発明に係る照明装置は、前記一対の照明部の第１の前記照明部は第２の前記照明部よりも平面的に面積が小さく、前記第１の照明部に対応する第１の前記反射フィルムは当該照明部と略同一の大きさであり、前記第２の照明部に対応する第２の前記反射フィルムは当該照明部と略同一の大きさであり、前記両面反射シートは、前記第１の反射フィルムと前記第２の反射フィルムを前記接着材を介して接着したものであることが好ましい。
本発明に係る照明装置は、前記一対の照明部の前記第１の照明部の光源は、第２の前記照明部と平面的に重なって配置されてなり、前記第１の反射フィルムの平面領域は、前記第２の照明部の前記光源が設けられてなる領域を含むことが好ましい。係る構成では、特に反射膜に入射する光量が多くなる光源の平面領域を覆うように、反射フィルムが積層された領域を配置する。
本発明に係る照明装置は、前記両面反射シートの平面領域は、前記一対の照明部が平面的に重なる領域を含むように配置されてなる構成とすることもできる。係る構成は、反射膜を透過した光が、両面反射シートを挟んで反対側の照明部に対して不具合を生じさせる可能性がある領域、すなわち照明部どうしが平面的に重なる領域で反射膜の合計膜厚が厚くなるようにされている。
上記いずれの構成でも、必要な領域にのみ反射フィルムの積層構造を導入するので、反射フィルムのコストが低減され、製造コストを低減できる。
【０００９】
本発明に係る照明装置では、前記両面反射シートの反射膜が、銀又はアルミニウム、及びこれらの合金のいずれか１種以上からなることが好ましい。係る構成によれば、銀やアルミニウム、及びそれらの合金からなる薄膜の高い反射率により、光源の利用効率を高めることができ、もって高輝度の照明装置を構成することが可能になる。
【００１０】
次に、本発明の電気光学装置は、先に記載の本発明の照明装置と、該照明装置のそれぞれの導光板前面側に配設された電気光学パネルとを備えたことを特徴としている。
係る構成によれば、一方の導光板の光が他方の導光板の発光領域内に透過するのを効果的に防止することができる照明装置により、表裏両面のいずれの表示領域においても裏面側からの映り込みが無く、表示品質に優れた電気光学装置を提供することができる。
本発明に係る電子機器は、本発明に記載の電気光学装置を用いることを特徴とする。
本発明に係る照明装置の製造方法は、導光板と、該導光板に光を照射する光源と、をそれぞれ備える一対の照明部が、互いに平面的に重なる領域を有して配置される照明装置の製造方法であって、該基板上に反射膜を成膜して反射フィルムを製造する工程と、一対の前記反射フィルムを接着材を介して接着して両面反射シートを製造する工程と、前記一対の照明部が平面的に重なる領域と平面的に重なる領域を有するように、前記一対の照明部の間に前記反射シートを配設する工程と、を有することを特徴とする。
本発明に係る電気光学装置の製造方法は、本発明に記載の照明装置の製造方法を用いる電気光学装置の製造方法において、電気光学パネルを前記照明装置のそれぞれの導光板前面側に配設する工程を有することを特徴とする。
【００１１】
【発明の実施の形態】
以下、図面を参照して本発明の実施の形態について説明する。
図１は、本発明の電気光学装置の一実施の形態である液晶表示装置の断面構成図であり、図２は、図１に示す液晶表示装置に備えられた両面発光型の照明装置を示す分解斜視図である。
【００１２】
図１に示す液晶表示装置は、２枚の液晶パネル（電気光学パネル）１１０と、その背面側に配置されて液晶パネル１１０を照明するバックライト（照明部）１２０と、液晶パネル１１０と反対側を観察面として背中合わせに配置された液晶パネル（電気光学パネル）１３０と、その背面側に配置されて液晶パネル１３０を照明するバックライト（照明部）１４０とを備えて構成されている。
【００１３】
液晶パネル１１０，１３０は、それぞれガラスやプラスチック等の透光性の２枚の基板１１１，１１２，１３１，１３２を、シール材１１３，１３３で接合し、シール材１１３，１３３の内側に液晶１１４，１３４を封入した構成とされている。液晶パネル１１０，１３０を構成する基板１１１，１１２，１３１，１３２の液晶１１４，１３４側には、電極パターンが形成され、上記液晶１１４，１３４を挟んで対向する電極に印加された電圧に応じて液晶１１４，１３４の配向状態を制御するようになっている。また、基板１１１，１１２，１３１，１３２の外面側には、それぞれ偏光板や位相差板等からなる光学素子１１５，１１６，１３５，１３６が設けられている。
尚、これらの液晶パネル１１０，１３０の電極パターンからは図示略の配線パターンがシール材１１３，１３３の外側まで延出形成されており、液晶パネル１１０，１３０の周縁部でフレキシブル配線基板などの配線部材１０４，１０６を介して外部からの信号の入力を行うように構成されている。また、液晶パネル１１０，１３０の周縁部（額縁領域）に駆動回路等の半導体チップを実装しても良い。
【００１４】
バックライト１２０には、ＬＥＤ（発光ダイオード）等で構成される光源１２１と、アクリル樹脂などで構成された導光板１２２とが備えられている。またバックライト１４０には、ＬＥＤ（発光ダイオード）等で構成される光源１４１と、アクリル樹脂などで構成された導光板１４２とが備えられている。そして、導光板１２２と１４２との間に、両面反射シート１０２が設けられている。そして、この両面反射シート１０２が、光源１２１，１４１から出射されて導光板１２２，１４２内を伝搬する光を反射して液晶パネル１１０，１３０側へ指向する光量を増加させるようになっている。
また、バックライト１２０と液晶パネル１１０との間には、遮光部材１０３が配設され、バックライト１４０と液晶パネル１３０との間にも遮光部材１０５が配設されている。これらの遮光部材１０３，１０５は、それぞれ液晶パネルの表示領域に対応して開口されており、これらの開口部を介して導光板１２２，１４２から出射した光が液晶パネル１１０，１３０の表示領域のみに照射されるようにしている。
【００１５】
支持体１０１は、合成樹脂等を材料とする一体成形等により形成されている。この支持体１０１は、導光板１２２と導光板１４２とを係合保持するように形成されている。ここで、支持体１０１、及びバックライト１２０，１４０を備えてなる本発明に係る照明装置のより詳細な構造について説明する。
【００１６】
図２に示すように、支持体１０１は全体として枠状を成し、略矩形状の外枠部１０１ａと、外枠部１０１ａの対向する内壁面間を横断するように延設された内枠部１０１ｂとを有している。外枠部１０１ａの一対の対向する内壁面には、矩形状の突起１０１ａ１、１０１ａ２と、図示斜め下方に向いた一対の傾斜係合面を有する側面視逆三角形状の突起１０１ａ３と、図示斜め上方に向いた一対の傾斜係合面を有する突起１０１ａ４とがそれぞれ形成されている。また、内枠部１０１ｂの中央部は平面視において部分的に開口されており、その開口部の一対の対向する内壁面に、矩形状の突起１０１ｂ１、１０１ｂ２と、図示斜め上方に向いた一対の傾斜係合面を有する突起１０１ｂ３と、図示斜め下方に向いた傾斜係合面を有する突起１０１ｂ４とが形成されている。また、内枠部１０１ｂの開口部の図示奥側の内壁に矩形状の凹部１０１ｂ５が形成されている。
【００１７】
尚、上記支持体１０１の内面に反射機能を付与することもでき、例えば内面に反射層を形成したり、支持体の素材として導光板の屈折率より小さい屈折率を有する材料を用いることで実現できる。このような構成とすることで、導光板１２２，１４２の側端面から漏洩する光を反射させて導光板内部に戻すことができるので、光の利用効率が向上し、もって高輝度の照明装置とすることができる。
【００１８】
導光板１２２には、その側端部を上下方向に貫通した３つの光源収容孔１２２ａが、導光板１２２の辺端に沿うように配列形成されている。また導光板１２２の図示長辺方向に沿う側面には、側面視矩形状の凹部１２２ｂ、１２２ｃと、導光板１２２の斜め上方に向いた第１傾斜面１２２ｄ１と、第２傾斜面１２２ｄ２とを有する側面視逆三角形状の凹部１２２ｄと、導光板１２２の斜め下方に向いた傾斜面を有する切欠状の凹部１２２ｅとが設けられている。ここで、凹部１２２ｂ、１２２ｃ、１２２ｄ、１２２ｅは、導光板１２２の側方に開口すると共に、導光板１２２の厚さ方向の前後いずれか（図示上方又は下方）に開口している。また、凹部１２２ｄの第１傾斜面１２２ｄ１は、上記光源収容孔１２２ａが形成されている端部と反対側の端部に向く傾斜面となっているのに対して、第２傾斜面１２２ｄ２は、上記光源収容孔１２２ａ側に向いた傾斜面となっている。さらに、凹部１２２ｄ内の第１傾斜面１２２ｄ１及び第２傾斜面１２２ｄ２は導光板１２２の表面側（図示上面側）に向いた傾斜面であるのに対し、凹部１２２ｅ内の傾斜面は導光板１２２の図示下面側に向いた傾斜面となっている。
【００１９】
また、図示下側に配設されている導光板１４２には、図示奥側の側端面１４２ａが光入射面として形成されており、その一対の側端に矩形状の凹部１４２ｂ、１４２ｃと、図示斜め下方に向いた第１傾斜面１４２ｄ１と、第２傾斜面１４２ｄ２とを備えた側面視三角形状の凹部１４２ｄと、図示斜め上方に向いた傾斜面を備えた切欠状の凹部１４２ｅとがそれぞれ設けられている。ここで、凹部１４２ｂ、１４２ｃ、１４２ｄ、１４２ｅは導光板１４２の側方に向かって開口されていると共に、導光板１４２厚さ方向の前後いずれか（図示上方又は下方）に開口している。また、第１傾斜面１４２ｄ１は、上記光入射面１４２ａの形成された端面側に向く傾斜面となっており、第２傾斜面１４２ｄ２は、この第１傾斜面１４２ｄ１と向き合うように形成されている。さらに、凹部１４２ｄは図示下方に向いた傾斜面であるのに対し、凹部１４２ｅの傾斜面は図示上方に向いた傾斜面となっている。
【００２０】
また、上記導光板１２２及び導光板１４２の主面（図示上面及び下面）には、光源１２１，１４１から放出されて内部を伝搬する光の向きを変化させるための反射形状が必要に応じて形成される。この種の反射形状としては、断面視三角波状に連続する三角溝や、略半球状や多角錘状のドットを形成する等、公知のものを用いることができる。
【００２１】
また、両面反射シート１０２は、その表裏両面においてともに光を反射できるように構成されている。そして、図２に示すように、支持体１０１の内枠部１０１ｂ上に両面反射シート１０２を載置した状態で図示上方から導光板１２２を押し込むことにより上記凹部１２２ｂ、１２２ｃ、１２２ｄ、１２２ｅを、突起１０１ａ１、１０１ａ２に係合させることによって導光板１２２を支持体１０１に支持固定できるようになっている。また、支持体１０１に対して図示下方から導光板１４２を押し込むことにより上記凹部１４２ｂ、１４２ｃ、１４２ｄ、１４２ｅを突起１０１ｂ１、１０１ｂ２、１０１ｂ３、１０１ｂ４に係合させることによって、導光板１４２を支持体１０１に支持固定できるようになっている。このようにすると、両面反射シート１０２は、支持体１０１や導光板１２２，１４２と接着しなくとも導光板１２２，１４２間に挟持された状態で保持される。
【００２２】
図１に示すように液晶パネル１１０，１３０をそれぞれ導光板１２２，１４２の前面側に配設した状態では、図２に示す導光板１２２の３つの光源収容孔１２２ａ内に光源１２１が配置され、支持体１０１の内枠部１０１ｂの凹部１０１ｂ５内に光源１４１が配置されるようになっている。
本実施形態では、図１に示すように配線部材１０４上に光源１２１が実装される。そして、この光源１２１が導光板１２２の光源収容孔１２２ａ内に配置された状態で発光することで、導光板１２２内に光が照射され、導光板１２２内を伝搬しながら導光板１２２の主面に形成された反射形状や両面反射シート１０２でその伝搬方向を変えられて液晶パネル１１０側へ出射される。これにより、液晶パネル１１０にて形成される画像を図示上方から良好に視認できるようになっている。
【００２３】
また、液晶パネル１３０に接続された配線部材１０６上に実装された光源１４１は、支持体１０１の内枠部１０１ｂの凹部１０１ｂ５内に配置されると共に、導光板１４２の光入射面１４２ａと対向配置された状態で発光するようになっている。そして、導光板１４２に照射された光は導光板１４２内を伝搬すると共に、導光板１４２の主面に形成された反射形状や両面反射シート１０２の図示下面側で反射されてその伝搬方向を変えられて液晶パネル１３０側へ出射される。これにより、液晶パネル１３０にて形成される画像を図示下方から良好に視認できるようになっている。
尚、光源１２１，１４１を配線部材１０４，１０６上に実装せず、他の配線部材を介して外部と接続するようにしても構わない。
【００２４】
両面反射シート１０２は、その表裏両面においてともに光を反射できるように構成されたものであり、本発明に係る照明装置においては、基板上に反射膜が成膜された反射フィルムを、反射膜表面同士が対向する向きに接着材を介して接着したものが用いられる。本発明における基板は、樹脂層を成す樹脂基板であることが好ましい。ここで、この両面反射シートについて図３から図５を参照して以下に説明する。
図３は、本発明に係る両面反射シートの一実施の形態を示す断面構成図である。この図に示す両面反射シート１０２は、基板１０２ａ１と、この基板１０２ａ１上に成膜された反射膜１０２ｂ１とを備えた反射フィルム１０２ｃ１と、基板１０２ａ２と、この基板１０２ａ２上に成膜された反射膜１０２ｂ２とを備えた反射フィルム１０２ｃ２とが、反射膜１０２ｂ１、１０２ｂ２が対向する向きに配置される共に、接着材１０２ｄを介して接着されている。
反射膜１０２ｂ１、１０２ｂ２としては、銀又はアルミニウム、あるいはこれらの合金を用いる金属反射膜であることが好ましい。これらの金属材料からなる薄膜は高い反射率を有するため、両面反射シート１０２における光の減衰を極力防止することができ、照明装置、及び液晶表示装置の輝度を向上させることができる。この反射膜１０２ｂ１、１０２ｂ２は、真空蒸着等の成膜法により所定膜厚に形成することができる。
また図３に示す反射フィルム１０２ｃ１、１０２ｃ２のそれぞれにおいては、反射膜１０２ｂ１、１０２ｂ２の膜厚が、５０ｎｍ以上２００ｎｍ以下とされていることが好ましい。反射膜１０２ｂ１、１０２ｂ２の膜厚が５０ｎｍ以下である場合、バックライト１４０の光源１４１と、バックライト１２０の発光領域とが両面反射シート１０２を挟んで両側に配置されている領域に限らず両面反射シート１０２において光の漏洩が生じ、光源１４１の利用効率が低下するため好ましくない。また、反射膜１０２ｂ１、１０２ｂ２は厚くするほど遮光性が向上するが、反射膜と接して形成される基板との密着性が低下するので、反射フィルム単体での反射膜の膜厚は２００ｎｍ以下とするのがよい。また、反射膜の密着性の観点から反射膜の膜厚は１５０ｎｍ以下とすることがより好ましい。
【００２５】
図３には、平面視同一形状の２枚の反射シート１０２ｃ１、１０２ｃ２を貼り合わせた構成の両面反射シートを示したが、本発明に係る照明装置では、図３に示す形態に限らず、図４及び図５に示す形態の両面反射シートも好適に使用することができる。尚、図４及び図５では図面を見易くするために各部の寸法等を異ならせて示している。
まず、図４に示す両面反射シート２０２は、大きさの異なる２枚の反射フィルム１０２ｃ１、１０２ｃ３が接着材１０２ｄを介して接着されて構成されており、図示下側に配置された反射シート１０２ｃ３は、基板１０２ａ３と、その上面に成膜された反射膜１０２ｂ３とを備えており、図４に示すように、バックライト１４０の平面領域と平面視においてほぼ一致するように配置されている。
【００２６】
この構成によれば、平面視においてバックライト１２０の発光領域と重なって配置されたバックライト１４０の平面領域に反射フィルム１０２ｃ３が配置されていることで、両面反射シート２０２によってバックライト１４０、特に光源１４１の光を効果的に遮断することができ、上記両面反射シートを透過した光によるバックライト１２０の輝度均一性の低下を防止できるようになっている。
そして、反射フィルム１０２ｃ３は図３に示す反射フィルム１０２ａ３より小さい寸法に形成されているので、両面反射シートの製造コストの低減を図ることができる。
【００２７】
次に、図５に示す両面反射シート３０２は、大きさの異なる２枚の反射シート１０２ｃ１、１０２ｃ４が１０２ｄを介して接着されて構成されている点においては図４に示す両面反射シート２０２と同様であるが、基板１０２ａ４と、その上面に成膜された反射膜１０２ｂ４とを備えて図示下側に配置された反射シート１０２ｃ４が、図５に示すように、バックライト１４０の光源１４１の平面領域と平面視においてほぼ一致するように配置されている。
【００２８】
このような構成とした場合にも、バックライト１４０の光源１４１の平面領域では、反射フィルム１０２ｃ１、１０２ｃ４が積層された構造となっているので、光源１４１からの光が両面反射シート３０２を透過することはない。従って、係る構成によっても、バックライト１２０，１４０を輝度均一性に優れたものとすることができる。そして、図５に示す構成では、反射フィルム１０２ｃ４は極めて狭い領域にのみ設けられるので、図３及び図４に示した両面反射シートよりもさらにコスト低減に有用である。
【００２９】
上記のような構成とすれば、両面反射シート２０２，２０３での光の透過を効果的に防止できると共に、反射膜と基板との密着性にも優れる両面反射シートとすることができ、輝度均一性と信頼性とを兼ね備えたものとすることができる。
【００３０】
また、本実施の形態では、導光板１２２，１４２の形状として略平板状のものを例示したが、導光板１２２，１４２としては、断面略くさび状（光源１２１，１４１が配設された側から対向する辺端に向かって漸次板厚が減少する形状）のものも問題なく適用することができ、このような形状の導光板を用いることで導光板内部での導光効率を高めることができ、それぞれの液晶パネル１１０，１３０の表示を明るくすることができる。
【００３１】
さらに、本実施の形態では、導光板１２２の平面領域内に、導光板１４２全体が配置されており、両面反射シート１０２の平面形状と、導光板１２２の平面形状とが略同一とされた場合について説明したが、このような構成に限らず、導光板１２２と導光板１４２とは、少なくとも一部が平面的に重なって配置されていれば、１枚の両面反射シート１０２を共有することが可能であり、先に説明した本発明の効果を得ることができる。
【００３２】
本実施形態では、電気光学パネルの例として液晶パネルを挙げて説明しているが、液晶パネルに代えて有機ＥＬ（エレクトロルミネッセンス）素子等の自己発光型素子を備えた電気光学パネルを用いることもできる。その場合にはバックライトは不要であるが、電気光学パネルを発光部として利用するとともに、両面反射シートは両パネル間に配置し、この両面反射シートを表裏両面のパネルで共通のものとすることが好ましい。このような構成とすることで、自己発光型の電気光学パネルにおける表裏のパネル間での表示の干渉を防止できると共に、電気光学装置の薄型化を実現することができる。尚、本発明に係る電気光学装置としては、上記の例に限定されず、プラズマディスプレイパネル等も電気光学パネルとして適用することができる。
【００３３】
（電子機器）
次に、図６及び図７を参照して、本発明に係る電子機器について説明する。本発明の電子機器の一実施形態たる携帯電話１０００は、図６に示す折り畳み状態と、図７に示す使用状態とを備えた折り畳み式の携帯電話であって、本体部１００１と、表示体部１００２とを有している。
【００３４】
表示体部１００２の内部には、上記実施の形態の液晶表示装置が配置され、表示体部１００２にて表側表示面１００３と、裏側表示面１００４にて表示画面を視認できるように構成されている。このような携帯電話１０００によると、各種操作や各種状況に応じて、特に折り畳み状態と使用状態の状態変化に応じて、表側表示面１００３及び／又は裏側表示面１００４において、明るい表示画面を視認することができるようになる。そして、表側表示面１００３に裏側表示面１００４の表示やこれの照明手段として備えられている光源の光が映り込むのを、先の両面反射シートが効果的に防止するので、表示輝度の均一性に優れ、表示品質に優れる携帯電話とされている。
【００３５】
尚、本発明の電気光学装置、及び本発明の電子機器は、先に示した形態に限定されるものではなく、本発明の要旨を逸脱しない範囲内において種々の変更を加えることが可能である。
【図面の簡単な説明】
【図１】図１は、本発明の電気光学装置の一実施形態である液晶表示装置の断面構成図である。
【図２】図２は、図１に示す照明装置を詳細に示す分解斜視図である。
【図３】図３は、図１及び図２に示す両面反射シート１０２の断面構成図である。
【図４】図４は、両面反射シートの他の形態を示す断面構成図である。
【図５】図５は、両面反射シートの他の形態を示す断面構成図である。
【図６】図６は、本発明の電子機器の一実施の形態を示す斜視構成図である。
【図７】図７は、本発明の電子機器の一実施の形態を示す斜視構成図である。
【符号の説明】
１１０  液晶パネル（電気光学パネル）、１２０  バックライト、１２１  光源、１２２  導光板、１０２（２０２，３０２）  両面反射シート、１０２ａ１〜１０２ａ４  反射膜、１０２ｂ１〜１０２ｂ４  基板（樹脂層）、１０２ｃ１〜１０２ｃ４  反射フィルム、１０２ｄ  接着材、１３０  液晶パネル（電気光学パネル）、１４０  バックライト、１４１  光源、１４２  導光板、１０１  支持体
【図１】
2004362877.tif 000003
【図２】
2004362877.tif 000004
【図３】
2004362877.tif 000005
【図４】
2004362877.tif 000006
【図５】
2004362877.tif 000007
【図６】
2004362877.tif 000008
【図７】
2004362877.tif 000009